(57)【要約】【課題】入水温度検出手段を用いない低コストの構成にて洗浄開始時に所望の湯温制御ができるトイレ装置を提供する。【解決手段】洗浄水を局部に噴出するノズル手段８と、洗浄水の給水手段１０と、洗浄水を瞬間的に温水に加熱する瞬間式加熱手段７と、瞬間式加熱手段７から出た洗浄水の温度を検出する出水温度検出手段と、洗浄水の流量を検出する流量検出手段１６と、給水手段１０と瞬間式加熱手段７を制御する制御手段１２とを備え、制御手段１２を、洗浄開始時の瞬間式加熱手段７における加熱量を出水温度検出手段１１により検出された温度と流量検出手段１６により検出された流量により決定するように構成した。【選択図】  図２
2004176339.tif 000002
【特許請求の範囲】
【請求項１】
洗浄水を局部に噴出するノズル手段と、前記ノズル手段に洗浄水を供給する給水手段と、前記ノズル手段に供給される洗浄水を瞬間的に温水に加熱する瞬間式加熱手段と、前記瞬間式加熱手段から出た洗浄水の温度を検出する出水温度検出手段と、洗浄水の流量を検出する流量検出手段と、前記給水手段と前記瞬間式加熱手段を制御する制御手段とを備え、前記制御手段は、洗浄開始時の瞬間式加熱手段における加熱量を、出水温度検出手段で検出された温度と流量検出手段で検出された流量により決定することを特徴とするトイレ装置。
【請求項２】
制御手段は、瞬間式加熱手段における加熱を開始するのに先立って所定時間給水手段を作動させることを特徴とする請求項１記載のトイレ装置。
【請求項３】
人体検出手段を設け、人体検出時に所定時間だけ給水手段を作動させるように構成したことを特徴とする請求項１記載のトイレ装置。
【請求項４】
洗浄水を局部に噴出するノズル手段と、前記ノズル手段に洗浄水を供給する給水手段と、前記ノズル手段に供給される洗浄水を瞬間的に温水に加熱する瞬間式加熱手段と、室温を検出する室温検出手段と、前記瞬間式加熱手段から出た洗浄水の温度を検出する出水温度検出手段と、洗浄水の流量を検出する流量検出手段と、前記給水手段と前記瞬間式加熱手段を制御する制御手段とを備え、前記制御手段は、洗浄開始時の瞬間式加熱手段における加熱量を、室温検出手段で検出された温度と流量検出手段で検出された流量により決定することを特徴とするトイレ装置。
【請求項５】
洗浄水を局部に噴出するノズル手段と、前記ノズル手段に洗浄水を供給する給水手段と、前記ノズル手段に供給される洗浄水を瞬間的に温水に加熱する瞬間式加熱手段と、前記瞬間式加熱手段から出た洗浄水の温度を検出する出水温度検出手段と、洗浄水の流量を検出する流量検出手段と、前記給水手段と前記瞬間式加熱手段を制御する制御手段とを備え、前記制御手段は、洗浄開始時の瞬間式加熱手段における加熱量を、前回の洗浄時における瞬間式加熱手段への通電量と洗浄水の流量と、今回の洗浄において流量検出手段で検出された流量より決定することを特徴とするトイレ装置。
【請求項６】
洗浄水を局部に噴出するノズル手段と、前記ノズル手段に向けて洗浄水を供給する給水手段と、前記ノズル手段に供給される洗浄水を瞬間的に温水に加熱する瞬間式加熱手段と、室温を検出する室温検出手段と、前記瞬間式加熱手段から出た洗浄水の温度を検出する出水温度検出手段と、洗浄水の流量を検出する流量検出手段と、前記給水手段と前記瞬間式加熱手段を制御する制御手段とを備え、前記制御手段は、前回の洗浄動作からの経過時間を計時し、前記経過時間が所定時間以内に洗浄を開始する場合は、前回の洗浄時における瞬間式加熱手段への通電量と洗浄水の流量と、今回の洗浄において流量検出手段で検出された流量より洗浄開始時の瞬間式加熱手段における加熱量を決定し、前記経過時間が所定時間を越えた後に洗浄を開始する場合は、洗浄開始時の瞬間式加熱手段における加熱量を、室温検出手段で検出された温度と流量検出手段で検出された流量により、又は出水温度検出手段で検出された温度と流量検出手段で検出された流量により決定するように構成したことを特徴とするトイレ装置。
【発明の詳細な説明】
【０００１】
【発明の属する技術分野】
本発明はトイレ装置に関し、特に洗浄水を瞬間式加熱手段にて温水にしてノズル手段から局部に噴射するようにしたトイレ装置に関するものである。
【０００２】
【従来の技術】
従来の瞬間式加熱手段を用いた温水洗浄手段を有するトイレ装置を図５に示す。図５に示すように、洗浄水は、水道端末から逆止弁２１、定流量弁２２を介して電磁開閉弁２３に給水され、洗浄時に電磁開閉弁２３から真空破壊弁２４、ポンプ２５、流量検出手段２６を介して瞬間式加熱手段２７に送給され、所定温度に加温された後、ノズル手段２８にて局部に向けて噴射するように構成されている。２９はオーバーフロー通路である。以上の逆止弁２１〜ポンプ２５とオバーフロー通路２９にて給水手段３０が構成されている。瞬間式加熱手段２７の入口側には、入水する水温を検出するサーミスタから成る入水温度検出手段３１が、出口側にはノズル手段２８に供給される温水の温度を検出するサーミスタから成る出水温度検出手段３２が配設されている。
【０００３】
このトイレ装置の制御装置は、図６に示すように、制御手段３３に、流量検出手段２６、入水温度検出手段３１、出水温度検出手段３２及び設定手段３４からの各検出信号と設定データ信号が入力され、それらのデータに基づいて給水手段３０による給水量制御や瞬間式加熱手段２７に対する通電制御を行って所望の温度・流量の温水をノズル手段２８に供給し、またノズル手段２８の切り換え制御を行うように構成されている。
【０００４】
上記構成において、洗浄開始時には、流量検出手段２６にて検出した流量と、入水温度検出手段３１にて検出した入水温度と、設定された湯温に基づいて瞬間式加熱手段２７における加熱量を演算し、瞬間式加熱手段２７に対する通電制御を行い、通常使用時には、流量検出手段２６にて検出した流量と、入水温度検出手段３１にて検出した入水温度と、出水温度検出手段３２にて検出した出水温度と、設定温度とに基づいてＰＩＤ制御にて瞬間式加熱手段２７に対して通電制御を行うことにより、所望の湯温に制御している（例えば、特許文献１参照）。
【０００５】
また、ノズル手段２８から噴射する温水の流量制御ついては、流量検出手段２６にて検出した流量と設定流量に基づいて給水手段３０を制御することによって行っている。
【０００６】
【特許文献１】
特開平１０−３００５４１号公報（第５−６頁、第３図）
【０００７】
【発明が解決しようとする課題】
しかしながら、前記従来の構成では、入水温度検出手段３１を用いているため、コスト高になるという課題がある。
【０００８】
本発明は、前記従来の課題を解決するもので、入水温度検出手段を用いない低コストの構成にて洗浄開始時に所望の湯温制御ができるトイレ装置を提供することを目的としている。
【０００９】
【課題を解決するための手段】
前記従来の課題を解決するために本発明のトイレ装置は、洗浄水を局部に噴出するノズル手段と、ノズル手段に向けて洗浄水を供給する給水手段と、ノズル手段に供給される洗浄水を瞬間的に温水に加熱する瞬間式加熱手段と、瞬間式加熱手段から出た洗浄水の温度を検出する出水温度検出手段と、洗浄水の流量を検出する流量検出手段と、給水手段と瞬間式加熱手段を制御する制御手段とを備え、制御手段を、洗浄開始時の瞬間式加熱手段における加熱量を、出水温度検出手段で検出された温度と流量検出手段で検出された流量により決定するように構成したものであり、洗浄開始前の瞬間式加熱手段における加熱以前には、出水温度検出手段による検出温度を入水温度と推定できるので、その検出温度と流量検出手段により検出された流量によって加熱量を制御することで、入水温度検出手段を用いない低コストの構成にて洗浄開始時に所望の湯温制御ができる。
【００１０】
【発明の実施の形態】
請求項１に記載の発明は、洗浄水を局部に噴出するノズル手段と、前記ノズル手段に洗浄水を供給する給水手段と、前記ノズル手段に供給される洗浄水を瞬間的に温水に加熱する瞬間式加熱手段と、前記瞬間式加熱手段から出た洗浄水の温度を検出する出水温度検出手段と、洗浄水の流量を検出する流量検出手段と、前記給水手段と前記瞬間式加熱手段を制御する制御手段とを備え、前記制御手段は、洗浄開始時の瞬間式加熱手段における加熱量を、出水温度検出手段で検出された温度と流量検出手段で検出された流量により決定するもので、洗浄開始前の瞬間式加熱手段における加熱以前には、出水温度検出手段による検出温度を入水温度と推定できるので、その検出温度と流量検出手段により検出された流量によって加熱量を制御することで、入水温度検出手段を用いない低コストの構成にて洗浄開始時に所望の湯温制御ができる。
【００１１】
請求項２に記載の発明は、特に請求項１に記載の制御手段を、瞬間式加熱手段における加熱を開始するのに先立って所定時間給水手段を作動させるように構成したもので、加熱していない洗浄水が出水温度検出手段の検出点を流れて出水温度検出手段にてその温度が確実に検出されるので入水温度を正確に検出できる。
【００１２】
請求項３に記載の発明は、特に請求項１に記載のトイレ装置に、人体検出手段を設け、人体検出時に所定時間だけ給水手段を作動させるように構成したもので、使用者が便座に着座した時などに人体が検出されて給水手段が作動されることによって、洗浄開始を指令してから上記のように給水手段を作動させる場合に比して、洗浄開始時に入水温度の検出のための遅れが発生せず、使い勝手よく入水温度を正確に検出できる。
【００１３】
請求項４に記載の発明は、洗浄水を局部に噴出するノズル手段と、前記ノズル手段に洗浄水を供給する給水手段と、前記ノズル手段に供給される洗浄水を瞬間的に温水に加熱する瞬間式加熱手段と、室温を検出する室温検出手段と、前記瞬間式加熱手段から出た洗浄水の温度を検出する出水温度検出手段と、洗浄水の流量を検出する流量検出手段と、前記給水手段と前記瞬間式加熱手段を制御する制御手段とを備え、前記制御手段は、洗浄開始時の瞬間式加熱手段における加熱量を、室温検出手段で検出された温度と流量検出手段で検出された流量により決定するように構成したもので、室温と入水温度との相関を考慮して入水温度を推定し、その入水温度と流量検出手段により検出された流量によって加熱量を制御することで、入水温度検出手段を用いない低コストの構成にて、かつ洗浄開始時に入水温度の検出のための遅れを発生せずに、洗浄開始時に所望の湯温制御ができる。
【００１４】
請求項５に記載の発明は、洗浄水を局部に噴出するノズル手段と、前記ノズル手段に洗浄水を供給する給水手段と、前記ノズル手段に供給される洗浄水を瞬間的に温水に加熱する瞬間式加熱手段と、前記瞬間式加熱手段から出た洗浄水の温度を検出する出水温度検出手段と、洗浄水の流量を検出する流量検出手段と、前記給水手段と前記瞬間式加熱手段を制御する制御手段とを備え、前記制御手段は、洗浄開始時の瞬間式加熱手段における加熱量を、前回の洗浄時における瞬間式加熱手段への通電量と洗浄水の流量と、今回の洗浄において流量検出手段で検出された流量より決定するように構成したもので、前回の洗浄時のパラメータから入水温度を推定し、その入水温度と今回の洗浄において流量検出手段により検出された流量によって加熱量を制御することで、入水温度検出手段を用いない低コストの構成にて、かつ洗浄開始時に入水温度の検出のための遅れを発生せずに、洗浄開始時に所望の湯温制御ができる。
【００１５】
請求項６に記載の発明は、洗浄水を局部に噴出するノズル手段と、前記ノズル手段に向けて洗浄水を供給する給水手段と、前記ノズル手段に供給される洗浄水を瞬間的に温水に加熱する瞬間式加熱手段と、室温を検出する室温検出手段と、前記瞬間式加熱手段から出た洗浄水の温度を検出する出水温度検出手段と、洗浄水の流量を検出する流量検出手段と、前記給水手段と前記瞬間式加熱手段を制御する制御手段とを備え、前記制御手段は、前回の洗浄動作からの経過時間を計時し、前記経過時間が所定時間以内に洗浄を開始する場合は、前回の洗浄時における瞬間式加熱手段への通電量と洗浄水の流量と、今回の洗浄において流量検出手段で検出された流量より洗浄開始時の瞬間式加熱手段における加熱量を決定し、前記経過時間が所定時間を越えた後に洗浄を開始する場合は、洗浄開始時の瞬間式加熱手段における加熱量を、室温検出手段で検出された温度と流量検出手段で検出された流量により、又は出水温度検出手段で検出された温度と流量検出手段で検出された流量により決定するように構成したもので、前回の使用からの経過時間が短い時には前回の洗浄時のパラメータから入水温度を推定し、長くなると室温と入水温度との相関を考慮して入水温度を推定し、又は出水温度検出手段による検出温度を入水温度と推定し、その入水温度と今回の洗浄において流量検出手段により検出された流量によって加熱量を制御することで、入水温度検出手段を用いない低コストの構成にて、かつ洗浄開始時に入水温度の検出のための遅れを発生せずに、より精度良く、洗浄開始時に所望の湯温制御ができる。
【００１６】
【実施例】
以下、本発明の実施例について図面を参照しながら説明する。
【００１７】
（実施例１）
図１は、本発明の第１の実施例を示す概略構成図、図２は制御装置の構成図を示す。
【００１８】
図１において、洗浄水は、水道端末から逆止弁１、定流量弁２を介して電磁開閉弁３に給水されており、洗浄時に電磁開閉弁３から真空破壊弁４を介してモータ６にて駆動制御されるポンプ５にて瞬間式加熱手段７に給水され、この瞬間式加熱手段７にて所定温度に加温された後に、ノズル手段８に供給されて局部に向けて噴射するように構成されている。９はオーバーフロー通路である。以上の逆止弁１〜ポンプ５とオーバーフロー通路９にて給水手段１０が構成されている。
【００１９】
ポンプ５とモータ６の組み合わせは、ギヤポンプとＤＣモータの組み合わせが一般的であり、その電圧制御には交流電源を用いた位相制御や直流電源によるＰＷＭ（パルス幅変調制御）やＰＦＭ（パルス周波数変調制御）を適用することができる。また、ＤＣモータに代えてパルスモータやシンクロナスモータ等の周波数同期型制御モータを用いると、確実に再現性のある流量調整ができるとともに微調整が可能であるため好適である。また、ポンプとモータの組み合わせに代えて電磁ポンプを用いることもできる。
【００２０】
瞬間式加熱手段７は、温水ヒータとしてのセラミックヒータを蛇行状の熱交換流路に臨ませて構成されている。この瞬間式加熱手段７の出口側に洗浄水の温度を検出するサーミスタから成る出水温度検出手段（ＴＳ０）１１が配設されており、入り口側には、洗浄水の流量を検出する流量検出手段１６が配設されている。流量検出手段１６は、洗浄水の流入によって羽根車が回転し、その回転数をフォトインタラプタで検出するように構成されたものが安価で一般的であるが、超音波流量計や容積流量計等を利用しても良く、この場合さらに高精度、高速に流量が検出できるので好適である。
【００２１】
このトイレ装置の制御装置は、図２に示すように、制御手段１２に、出水温度検出手段１１、流量検出手段１６からの検出信号、設定手段１３からの設定データ信号が入力され、それらのデータに基づいて給水手段１０による流量制御や瞬間式加熱手段７に対する通電制御を行って所望の温度・流量の温水をノズル手段８に供給し、またノズル手段８の切り換え制御を行うように構成されている。
【００２２】
この制御手段１２による洗浄開始時の具体的な制御動作を説明すると、瞬間式加熱手段７における通電加熱に先立って出水温度検出手段１１にて洗浄水の温度を検出し、その検出温度を入水温度と推定する。そして、制御手段１２から設定手段１３による設定流量に応じた作動制御値が給水手段１０のモータ６に出力され、給水手段１０にて対応する流量の給水が行われる。洗浄水の給水が行われるとその流量を流量検出手段１６によって検出すると同時に上記の推定した入水温度と流量検出手段１６によって検出された検出流量とに基づいて瞬間式加熱手段７に対する通電制御値が決定され、瞬間式加熱手段７に通電されて洗浄水の加熱が行われる。すなわち、瞬間式加熱手段７の出水温度検出が利用できない洗浄開始時に、流量検出手段１６によって検出された検出流量と出水温度検出手段１１の検出値から推定した入水温度に基づいて瞬間式加熱手段７に対する通電制御を行っている。瞬間式加熱手段７における通電による加熱量Ｑは、Ｑ＝ｋ×（設定温度−入水温度）×流量、（ｋは係数）で求められる。
【００２３】
また、上記給水手段１０のモータ６の作動制御値の決定に際しては、制御手段１２に内蔵されているＲＯＭやＥＥＰＲＯＭなどの記憶手段に作動制御値と流量の関係を予め演算プログラムや参照テーブルとして設定しておき、その関係に基づいて作動制御値を決定するように構成するのが好適であり、そうすると作動制御値による給水手段１０の制御にて精度良く洗浄開始時の流量を制御することができる。なお、作動制御値と流量の関係を記憶手段に記憶させるのに、製造段階で外部流量検出手段を接続して実際の流量を検出し、その検出結果と作動制御値を制御手段１２に入力するようにすると、容易に各トイレ装置毎の特性に応じた関係を設定でき、より精度良く流量を制御できる。
【００２４】
かくして、出水温度検出手段１１の検出値から推定した入水温度と流量検出手段１６によって検出された検出流量によって加熱量を制御することで、入水温度検出手段を用いない低コストの構成にて洗浄開始時に所望の湯温制御ができる。
【００２５】
好適には、上記給水手段１０による給水動作の開始後、例えば０．５〜数秒程度の所定時間経過した後に瞬間式加熱手段７に対する通電加熱を開始するようにし、その所定時間内に出水温度検出手段１１にて洗浄水の温度を検出するようにすると、入水する洗浄水の温度が出水温度検出手段１１にて確実に検出され、洗浄開始時に精度良く所望の湯温制御ができる。
【００２６】
さらに好適には、図２に仮想線で示すように、トイレ装置の便座に使用者が着座した時にその人体を検出する人体検出手段１４を設けてその検出信号を制御手段１２に入力し、人体検出手段１４にて人体を検出した時に所定時間だけ給水手段１０を作動させ、その間に出水温度検出手段１１にて洗浄水の温度を検出するように構成することもできる。そうすると、使用者が便座に着座した時点で給水手段１０が所定時間作動して洗浄水の瞬間式加熱手段７に対する入水温度を出水温度検出手段１１にて確実に検出できるとともに、使用者が洗浄開始ボタンを押すと同時に瞬間式加熱手段７が作動し、上記のように給水手段を所定時間作動させた後に瞬間式加熱手段７を作動させる場合に比して、洗浄開始時に入水温度の検出のための遅れが発生せず、使い勝手がよくかつ精度良く所望の湯温制御ができる。
【００２７】
次に、上記のような洗浄開始時の瞬間式加熱手段７に対する通電制御を行った後に、出水温度検出手段１１により瞬間式加熱手段７で加熱された洗浄水の温度が検出される通常使用状態になると、瞬間式加熱手段７における加熱量は出水温度検出手段１１による検出温度と流量検出手段１６によって検出された検出流量に基づいて決定され、所定の湯温に制御された洗浄水がノズル手段８から噴出される。また同時に、流量検出手段１６によって検出された検出流量が、設定流量に等しくなるように給水手段１０を制御するための作動制御値を調整すると、洗浄水の流量を精度良く制御できる。
【００２８】
（実施例２）
次に、本発明のトイレ装置の第２の実施例について、図３、図４を参照して説明する。なお、全体構成及び制御装置の基本構成は上記第１の実施例と同一であり、同一の構成要素については同一参照符号を付して説明を省略し、相違点のみを説明する。
【００２９】
本実施例では、トイレ装置が配置された室温を検出する室温検出手段１５が設けられ、その検出信号が制御手段１２に入力されている。また、制御手段１２には、前回の洗浄時の給水手段１０による給水量と、瞬間式加熱手段７における加熱量と、出水温度検出手段１１による検出温度等のパラメータを記憶する記憶手段と、前回の洗浄時からの経過時間を計時するタイマーが設けられている。
【００３０】
以上の構成の制御装置による洗浄時の動作を、図４を参照して説明する。トイレ装置の設定手段１３に設けられた洗浄開始ボタン（図示せず）が押されたかどうかを検出（Ｓ１）して、洗浄ボタンが押され洗浄が開始されると、まず制御手段１２のタイマーから前回洗浄からの経過時間を読み取り（Ｓ２）、その経過時間が、例えばトイレ装置が配置されている環境の温度変化がそれ程大きくならないと考えられる３〜４時間程度に設定された所定時間内であるか否かを判定する（Ｓ３）。
【００３１】
経過時間が所定時間内であれば、制御手段１２の記憶手段に記憶された前回の洗浄時における瞬間式加熱手段への通電量と洗浄水の流量などのパラメータと、今回の洗浄において流量検出手段１６によって検出された検出流量より、洗浄開始時の瞬間式加熱手段７における加熱量を決定して洗浄を開始する（Ｓ４）。一方、経過時間が所定時間を越えている場合には、室温検出手段１５にて室温を検知し（Ｓ５）、室温と洗浄水の入水温度との相関から入水温度を推定し、その入水温度と流量検出手段１６によって検出された検出流量と設定温度により、瞬間式加熱手段７における加熱量を決定して洗浄を開始する（Ｓ６）。
【００３２】
その後、出水温度検出手段１１により瞬間式加熱手段７で加熱された洗浄水の温度が検出される通常使用状態になると、上記実施形態と同様に瞬間式加熱手段７における加熱量は出水温度検出手段１１による検出温度と流量検出手段１６によって検出された検出流量に基づいて決定され、所定の湯温に制御された洗浄水がノズル手段８から噴出される（Ｓ７）。洗浄が終了すると、制御手段１２内のタイマーがリセットされて経過時間の計時が再開される（Ｓ８）。
【００３３】
このように本実施例によれば、前回の使用からの経過時間が短い時には前回の洗浄時のパラメータから入水温度を推定し、長くなると室温と入水温度との相関を考慮して入水温度を推定し、その入水温度と流量検出手段１６によって検出された検出流量によって加熱量を制御することで、入水温度検出手段を用いない低コストの構成にて、かつ洗浄開始時に入水温度の検出のための遅れを発生せずに、より精度良く、洗浄開始時に所望の湯温制御ができる。
【００３４】
なお、本実施例では前回の使用からの経過時間が所定時間以上になると、室温検出手段１５にて検出した温度を入水温度と推定した例を示したが、室温に代えて第１の実施例と同様に出水温度検出手段１１による検出温度を入水温度と推定するようにしてもよい。
【００３５】
また、本実施例では洗浄終了後の経過時間によって、前回洗浄時のパラメータにて加熱量を決定するか、検出した室温にて加熱量を決定するかを選択するようにしたが、常に前回洗浄時のパラメータのみ、又は検出した室温のみで加熱量を決定するようにしてもよい。
【００３６】
また、以上の実施例の説明では、給水手段１０としてポンプ５とそれを駆動するモータ６を備えたものを例示したが、水道端末における水圧を利用したり、別途の給水手段を利用することで、給水手段１０にステッピングモータ等を内蔵した流量調整弁を備えた構成にすることもでき、このような流量調整弁の開度調整によって給水量を可変すると、確実に再現性のある流量調整ができるとともに、微調整も可能となり、さらに所定の湯温に精度良く制御された洗浄水を確実に得ることができる。
【００３７】
【発明の効果】
以上のように、本発明によれば、ノズル手段と給水手段と瞬間式加熱手段と入水温度検出手段と制御手段とを備えたトイレ装置において、制御手段を、洗浄開始時の瞬間式加熱手段における加熱量を出水温度検出手段により検出された温度と流量検出手段により検出された流量により決定するように構成したので、洗浄開始前には出水温度検出手段による検出温度を入水温度と推定し、その検出温度と流量検出手段により検出された流量によって加熱量を制御することにより、入水温度検出手段を用いない低コストの構成にて洗浄開始時に所望の湯温制御ができる。
【図面の簡単な説明】
【図１】本発明の第１の実施例のトイレ装置の概略構成図
【図２】本発明の第１の実施例のトイレ装置の制御装置の構成図
【図３】本発明の第２の実施例のトイレ装置の制御装置の構成図
【図４】本発明の第２の実施例における洗浄時の加熱量制御のフロー図
【図５】従来例のトイレ装置の概略構成図
【図６】従来例のトイレ装置の制御装置の構成図
【符号の説明】
７  瞬間式加熱手段
８  ノズル手段
１０  給水手段
１１  出水温度検出手段
１２  制御手段
１４  人体検出手段
１５  室温検出手段
１６  流量検出手段
【図１】
2004176339.tif 000003
【図２】
2004176339.tif 000004
【図３】
2004176339.tif 000005
【図４】
2004176339.tif 000006
【図５】
2004176339.tif 000007
【図６】
2004176339.tif 000008